(57)【要約】【課題】リモコン装置の所在がわからなくなった場合、リモコン装置本体が音や光で通知しても、所在を判断できない場合がある。【解決手段】リモコン装置探索受付部１０２がユーザからのリモコン探索指示を受け付けると、リモコン位置検出部１０３は指向性切替部１０７を用いて、指向性アンテナ１０８の指向性を順次切り替えていき、各指向性に対して、リモコン探索信号送信部１０４から送信リモコン探索信号を送信させ、リモコン探索信号を受信したリモコン装置から送信され、リモコン応答信号受信部１０６が受信した応答信号のうち、受信強度測定部１０５が測定した受信電力が一番強かった応答信号が送信された方向をリモコン装置の存在する位置とし、映像表示制御部１０１にリモコン装置の存在する方向を表示させることで、リモコン装置の所在の通知を行う。【選択図】図１
2010028174.tif 000002
【特許請求の範囲】
【請求項１】
リモコンで制御可能な電子機器であって、
電気的に複数の指向性に切り替えることができる指向性アンテナを有し、前記指向性アンテナの全指向性特性において、前記リモコンに向けてリモコン探索信号を送信し、前記リモコンの応答信号の受信強度を測定し、最大の受信強度が測定された指向性特性の方向を前記リモコンの所在位置と判定し、前記判定された方向を前記所在位置として通知することを特徴とする電子機器。
【請求項２】
映像表示装置と接続され、リモコンで制御可能な電子機器であって、
電気的に複数の指向性に切り替え可能な指向性アンテナと、
前記指向性アンテナの指向性を切り替える指向性切替部と、
前記リモコンの探索を受け付けるリモコン探索受付部と、
前記映像表示装置への表示を制御する映像表示制御部と、
前記リモコンへリモコン探索信号を送信するリモコン探索信号送信部と、
前記リモコンから前記リモコン探索信号に対する応答信号を受信するリモコン応答信号受信部と、
前記リモコン応答信号の受信強度を測定する受信強度測定部と、
前記リモコン探索受付部から前記リモコンの探索通知を受けると、前記指向性切替部に全指向特性に対して、前記指向性アンテナの指向性特性を切替させ、各指向性特性において、前記リモコン探索信号送信部にリモコン探索信号を送信させ、前記リモコン応答信号受信部が受信した応答信号の受信強度を前記受信強度測定部に測定させ、最も受信強度が高かった指向性の方向をリモコン装置の所在位置と判定し、判定したリモコン装置の所在位置を前記映像表示制御部を用いて前記映像表示装置に表示させるリモコン位置検出部と
を有することを特徴とする電子機器。
【請求項３】
前記映像表示制御部は、前記リモコンの所在位置を前記電子機器を基点として矢印で表示することを特徴とする電子機器。
【請求項４】
指向性アンテナを有し、リモコンで制御可能な電子機器におけるリモコン所在地通知方法であって、
前記指向性アンテナの全指向性特性において、前記リモコンに向けてリモコン探索信号を送信し、前記リモコンの応答信号の受信強度を測定し、最大の受信強度が測定された指向性特性の方向を前記リモコンの所在位置と判定し、前記判定された方向を前記リモコンの所在位置として通知することを特徴とするリモコンの所在地通知方法。
【請求項５】
リモコンと、前記リモコンで制御可能な電子機器とで構成される電子機器システムであって、
前記電子機器は、電気的に複数の指向性に切り替えることができる指向性アンテナを有し、前記指向性アンテナの全指向性特性において、前記リモコンに向けてリモコン探索信号を送信し、前記リモコンの応答信号の受信強度を測定し、最大の受信強度が測定された指向性特性の方向を前記リモコンの所在位置と判定し、前記判定された方向を前記所在位置として通知し、
前記リモコンは、前記電子機器より自身宛のリモコン探索信号を受信すると、前記応答信号を送信すると共に、前記リモコン本体を振動させることを特徴とする電子機器システム。
【発明の詳細な説明】
【技術分野】
【０００１】
本発明は表示機器を有する電子機器とその電子機器を遠隔操作するためのリモコン装置から構成されるシステムにおいて、リモコン装置の所在を検出するシステム、所在検出方法及びプログラムに関するものである。
【背景技術】
【０００２】
近年、テレビ等のＡＶ機器は、機能が増大し、機器本体だけでは全ての機能を実行する事ができず、機能を実現するためにはリモコン装置が不可欠となってきている。また、リモコン装置は用途の関係上、小型で操作性の高いものが要求され、そういった要求に応じて、リモコン装置が小型化されている。
【０００３】
しかしながら、リモコン装置は機器の役割上、電子機器の操作、設定完了後は一定時間使用しない事があり、小型化された事もあり、結果所在がわからなくなる事がある。リモコン装置の所在がわからなくなった場合、利便性・多機能性からユーザーはリモコン装置を探さなくてはならない。
【０００４】
一方、リモコン所在検出手段として、電子機器本体より送信された信号をリモコン装置が受信した場合、光や音でリモコン装置自体が所在を通知するようなものもある（特許文献１参照）。
【特許文献１】特開２００５−２９４９０５号公報
【発明の開示】
【発明が解決しようとする課題】
【０００５】
しかしながら、リモコン装置周辺に遮蔽物があったり、リモコン装置の操作範囲が広域であった場合、音や光だけでは所在がわからない場合が発生する。
【０００６】
また、音や光だけでは、正確な方向を瞬時に判断する事は難しく、音または光の発生箇所を探す必要があった。
【課題を解決するための手段】
【０００７】
本課題を解決するために、本発明の電子機器は、電気的に複数の指向性に切り替えることができる指向性アンテナを有し、前記指向性アンテナの全指向性特性において、前記リモコン装置に向けてリモコン探索信号を送信し、前記リモコン装置の応答信号の受信強度を測定し、最大の受信強度が測定された指向性特性の方向を前記リモコン装置の所在位置と判定し、前記判定された方向を前記所在位置として通知することを特徴とする。
【発明の効果】
【０００８】
本発明では、所在のわからなくなったリモコン装置の所在の方向を特定する事ができるため、容易にリモコン装置の所在を知る事ができる。
【発明を実施するための最良の形態】
【０００９】
（実施の形態１）
図１は本発明を適用した電子機器の一構成例を示したブロック図である。
【００１０】
図１において、指向性アンテナ１０８は電気的に複数の指向性に切り替え可能なアンテナである。リモコン装置探索受付部１０２は、ユーザーからリモコン装置探索の指示が出されたことを検出する。リモコン装置探索受付部１０２は例えば、電子機器本体や電子機器設置場所（ラックなど）に設置されたスイッチなどで実現でき、スイッチが押下されたことを検出するとリモコン探索の指示が行われたと判定する。また、別の電子機器、または別の電子機器のリモコンに他の電子機器のリモコン探索を行う機能を設け、所望のリモコンの探索指示が行えるようにしてもよい。また、ユーザーが所持している複数のリモコンの識別情報を登録したリモコン探索装置であってもよい。本発明では、ＴＶにリモコン装置探索スイッチが設置され、ＴＶのリモコンを探索する場合を例にして説明を行う。
【００１１】
リモコン位置検出部１０３は、リモコン装置探索受付部１０２からリモコン探索の通知を受けると、指向性切替部１０７に全指向性特性に対して、指向性アンテナ１０８の指向性特性を切替させ、各指向性特性において、リモコン探索信号送信部１０４にリモコン探索信号を送信させ、受信強度測定部１０５にリモコンからの応答信号の受信強度を測定させ、受信強度測定部１０５が測定した全指向性特性の受信強度より、もっとも受信強度が高かった方向をリモコン装置の所在位置と判定し、リモコン装置の所在位置を映像表示制御部１０１に表示させる。
【００１２】
指向性切替部１０７は、リモコン位置検出部１０３の指示に従って、指向性アンテナ１０８の指向性特性を順に切り替え、リモコン検索信号送信部１０４は、リモコン位置検出部１０３の指示に従って、リモコン探索信号の送信要求を指向性アンテナ１０８を介して送信させ、受信強度測定部１０５は、リモコン位置検出部１０３の指示に従って、リモコン応答信号受信部１０６が指向性アンテナ１０８を介して受信したリモコン装置からの応答信号の受信強度を測定する。映像表示制御部１０１は電子機器自身が映像表示装置を有している場合は、自身が有する映像表示装置に表示し、別の映像表示装置に接続されている場合は、接続されている映像表示装置に映像を表示させる。
【００１３】
図２はリモコン装置の一構成例を示すブロック図である。
【００１４】
図２において、リモコン探索信号受信部２０３はアンテナ２０５を介して電子機器から送信されたリモコン探索信号を受信すると受信処理を行いリモコン制御部２０２に出力する。リモコン制御部２０２はリモコン探索信号受信部２０３から入力されたリモコン探索信号に含まれている情報から、リモコン探索信号を送信した電子機器を判定し、判定した電子機器宛にリモコン応答信号を作成し、リモコン応答信号送信部２０４にアンテナ２０５を介して応答信号を送信させると共に、振動部２０１にリモコン本体を振動させるよう指示する。
【００１５】
図３は本発明におけるリモコン装置位置検出処理のフローチャートを示したものである。以下、図３を用いて、本発明の動作を詳細に説明する。
【００１６】
（ステップＳ３０１）電子機器において、リモコン探索スイッチが押下されると、リモコン装置探索受付部１０２はユーザーよりリモコン装置探索の指示が出されたことを検出し、リモコン位置検出部１０３に通知し、ステップＳ３０２に進む。
【００１７】
（ステップＳ３０２）リモコン位置検出部１０３は、指向性切替部１０７に指向性アンテナ１０８の指向性特性を初期化するように通知し、指向性切替部１０７は、指向性アンテナ１０８の指向性特性の初期化を行い、ステップＳ３０３に進む。
【００１８】
（ステップＳ３０３）リモコン位置検出部１０３はリモコン探索信号送信部１０４に本電子機器のリモコン装置を探すリモコン探索信号を送信するよう指示する。リモコン信号には、電子機器もしくは、電子機器のリモコン装置であることが識別できる識別子を含める。リモコン探索信号送信部１０４は、リモコン位置検出部１０３の指示に従って、指向性アンテナ１０８を介して、リモコン探索信号を送信し、ステップＳ３０４に進む。
【００１９】
ここで、リモコン装置においては、アンテナ２０５を介してリモコン探索信号受信部２０３がリモコン探索信号を受信し、受信処理を行って、リモコン制御部２０２に通知する。リモコン制御部２０２は、リモコン探索信号受信部２０３が受信した応答信号に含まれる識別情報より、自身が操作する電子機器から送信されたリモコン探索信号であることを判定し、リモコン応答信号送信部２０４へ、リモコン探索信号を送信した電子機器宛のリモコン応答信号を送信するよう制御する。この時、リモコン制御部２０２は、振動部２０１にリモコン装置本体を振動させるよう通知する。振動部２０１はリモコン制御部２０２の指示に従って、リモコン装置本体を振動させる。
【００２０】
リモコン応答信号送信部２０４は、リモコン制御部２０２からの指示に従って、アンテナ２０５を介して、リモコン応答信号を送信する。
【００２１】
（ステップＳ３０４）リモコン応答信号受信部１０６は、指向性アンテナ１０８を介してリモコン応答信号を受信すると、受信強度測定部１０５に出力し、ステップＳ３０４に進む。また、リモコン位置検出部１０３はリモコン探索信号送信部１０４にリモコン探索信号を送信させてから、一定時間経過しても、受信強度測定部より受信強度が出力されない場合は、ステップＳ３０６へ進む。
【００２２】
（ステップＳ３０５）受信強度測定部１０５は、リモコン応答信号受信部１０６が受信した応答信号の受信強度の測定を行い、測定結果をリモコン位置検出部１０３に通知する。リモコン位置検出部１０３は受信強度測定結果と、その時のアンテナ指向性特性を対にして保持する。
【００２３】
（ステップＳ３０６）リモコン位置検出部１０３はアンテナ指向性全パターンについて受信強度の測定が終わったかどうかを判定し、終わっていない場合はステップＳ３０７へ進み、終わっている場合は、ステップＳ３０８に進む。
【００２４】
（ステップＳ３０７）リモコン位置検出部１０３は、指向性切替部１０７に指向性アンテナ１０８の指向性特性を切り替えるよう指示し、指向性切替部１０７はリモコン位置検出部１０３の指示に従って、指向性アンテナ１０８の指向性特性を切り替え、ステップＳ３０３に戻る。
【００２５】
（ステップＳ３０８）リモコン位置検出部１０３は、指向性アンテナ１０８のもつ全指向性に対する受信強度から、リモコン装置からの受信した応答信号の受信強度（受信電力）が一番高かった方向をリモコン装置の所在位置と判定し、映像表示制御部１０１に通知する。
【００２６】
（ステップＳ３０９）映像表示制御部１０１はリモコン位置検出部１０３の通知を受け、リモコン装置の位置を映像表示装置に表示する。リモコン装置の位置の表示は、電子機器からリモコン装置が存在する方向を矢印で図示したり、存在する方向がユーザーに分かる表現であれば、どのような表現方法でもよい。
【００２７】
なお、本発明における電子機器とリモコン装置間の通信手段については、双方向で通信が行える通信手段であれば、Ｂｌｕｅｔｏｏｔｈや無線ＬＡＮ等の既存の無線通信方法だけでなく、どのような無線通信手段を利用する事も可能な事は容易に推測できる。
【００２８】
また、本発明のリモコン装置は、電子機器からのリモコン位置検出信号を受信すると、応答信号を出力すると共に、リモコン装置本体を振動させているが、光や音を出力するようにしてもよい。こういった機能を追加することで、ユーザーが所望のリモコン装置を探すことが容易となる。また、振動など、他の通知機能を有しなくてもよい。
【００２９】
また、本発明では、ＴＶを例にして説明したが、ＨＤＤ／ＤＶＤレコーダーやケーブルＴＶ用のセットトップボックスなど、映像表示装置と接続する機器やリモコン装置の所在を通知できるような機能を持つ全ての機器にも適用できる。
【産業上の利用可能性】
【００３０】
本発明によるリモコン装置の所在検出は、テレビのような映像表示装置だけでなく、ＨＤＤ／ＤＶＤレコーダーやケーブルＴＶ用のセットトップボックス等、映像表示装置と接続する機器やリモコン装置の所在を通知できるような機能を持つ全ての機器に利用可能である。
【図面の簡単な説明】
【００３１】
【図１】本発明を適用した電子機器の一構成例を示すブロック図
【図２】本発明を適用したリモコン装置の一構成例を示すブロック図
【図３】本発明におけるリモコン装置の所在位置検出処理を示すフローチャート
【符号の説明】
【００３２】
１０１  映像表示制御部
１０２  リモコン装置探索受付部
１０３  リモコン位置検出部
１０４  リモコン探索信号送信部
１０５  受信強度測定部
１０６  リモコン応答信号受信部
１０７  アンテナ指向性切替部
１０８  指向性アンテナ
２０１  振動部
２０２  リモコン制御部
２０３  リモコン探索信号受信部
２０４  リモコン応答信号送信部
２０５  アンテナ
【図１】
2010028174.tif 000003
【図２】
2010028174.tif 000004
【図３】
2010028174.tif 000005